(57)【要約】【課題】  側壁の強度を高くすることができると共に蓋体を容器本体に係止させることができる上に高級感を出すことができる紙製容器を提供する。【解決手段】  内部にご飯や副菜などを盛り付ける中敷容器を収容させる紙製容器であって、容器本体と蓋体とからなり、前記容器本体を１枚の紙基材を折り曲げることによって形成され、底部と、この底部の周縁部より立ち上げて外側へ折り返して貼付することによって形成した側壁と、この側壁より垂下させて前記底部より突出させて形成した脚部と、前記側壁の上縁部に形成させた縁部とで構成する。【選択図】        図３
2009280240.tif 000002
【特許請求の範囲】
【請求項１】
内部にさまざまなものを収容させる紙製容器であって、
容器本体と蓋体とからなり、前記容器本体を１枚の紙基材を折り曲げることによって形成され、底部と、この底部の周縁部より立ち上げて外側へ折り返して貼付することによって形成した側壁と、この側壁より垂下させて前記底部より突出させて形成した脚部と、前記側壁の上縁部に形成させた縁部とで構成したことを特徴とする、紙製容器。
【請求項２】
前記側壁は、外側へ若干傾斜して形成させることを特徴とする、請求項１に記載の紙製容器。
【請求項３】
前記縁部は、外側に突出して設けられ、断面略三角形状を呈するように形成したことを特徴とする、請求項１又は２に記載の紙製容器。
【請求項４】
前記縁部は、前記側壁の端部を外側に略直角に折り曲げてさらに下方に傾斜した状態で折り返してから逆方向に第３折曲部を介して鋭角に折り曲げて形成され、前記第３折曲部に、ミシン目を設けたことを特徴とする、請求項１〜３のいずれか１項に記載の紙製容器。
【請求項５】
前記蓋体には、前記容器本体の縁部に係合して当該蓋体を前記容器本体に係止する係合部が設けられていることを特徴とする、請求項１〜４のいずれか１項に記載の紙製容器。
【請求項６】
前記蓋体は、紙基材を折り曲げることによって形成されるものであり、当該紙基材の周縁に前記容器本体の縁部の内側へ差し込まれる差込片が折曲可能に設けられ、かつ、前記蓋体の上面は平坦であるが前記差込片を折り曲げた部分からは上方へ傾斜して持ち上がる隆起部を備えていることを特徴とする、請求項１〜４のいずれか１項に記載の紙製容器。
【請求項７】
前記蓋体は、紙基材を折り曲げることによって形成されるものであり、当該紙基材に前記容器本体の外径寸法に合わせて４本の折曲線を有し、これらの折曲線で折り曲げることによって前記容器本体を全体に包囲するものと成したことを特徴とする、請求項１〜４のいずれか１項に記載の紙製容器。
【発明の詳細な説明】
【技術分野】
【０００１】
本発明は、内部に弁当箱、弁当箱用の中敷容器、トレー、化粧品箱、化粧品箱用の中敷容器、お菓子箱、お菓子箱用の中敷容器、果物箱、果物箱用の中敷容器等のその他の容器として好適に用いられる紙製容器に関するものである。
【背景技術】
【０００２】
例えば、四季折々の歳時や行楽の際に弁当を持参したり、少し改まった行事の際に仕出し弁当を出す際等において、ご飯や副菜を入れたプラスチック製の中敷容器の外側を覆って高級感や上質感或は豪華さを出すために紙製容器が用いられている。このような紙製容器の１つとして、例えば、下記する特許文献１のものが公知である。特許文献１に記載されている紙製容器は、基材の４つの側壁形成部を底部に対してそれぞれ上方に折り曲げて起立させ、これら起立させた側壁形成部を粘着テープ及び粘着剤を用いて固定することによって側壁が形成されて、紙製容器が形成されるものである。
【特許文献１】実開平７−２１５３１号公報
【発明の開示】
【発明が解決しようとする課題】
【０００３】
この特許文献１に記載されている紙製容器は、その素材について限定されていないが、近年、リサイクルや焼却処分等の廃棄処理を容易に行えるようにプラスチック製や金属製に代わって紙製のものが広く使用されるようになってきている。このため、一枚の紙を折り曲げて底部と側壁とを有する紙製容器を形成すると、側壁の強度が低くい上に、安っぽい印象を与えてしまうという問題があった。
【０００４】
本発明は、前記課題を解決するためになされたものであって、その目的は、側壁の強度を高くすることができる上に、高級感を出すことができる紙製容器を提供することにある。以下にこの発明を主として弁当などの中敷容器を内部に収容させて高級感を出させる折箱容器として用いた場合について説明するが、この発明に係る紙製容器は、弁当用以外に菓子類、果物、化粧品等を様々な形で収容させる容器としても用いることができる。
【課題を解決するための手段】
【０００５】
前記の目的を達成するための本発明に係る紙製容器は、内部にさまざまなものを収容させる紙製容器であって、容器本体と蓋体とからなり、容器本体を１枚の紙基材を折り曲げることによって形成され、底部と、この底部の周縁部より立ち上げて外側へ折り返して貼付することによって形成した側壁と、この側壁より垂下させて底部より突出させて形成した脚部と、側壁の上縁部に形成させた縁部とで構成したことを特徴とする。
【０００６】
この発明によれば、容器本体を、底部と、この底部の周縁部より立ち上げて外側へ折り返して貼付することによって形成した側壁と、この側壁より垂下させて底部より突出させて形成した脚部と、側壁の上縁部に形成させた縁部とで構成したことで、側壁が底部の周縁部より立ち上げて外側へ折り返して貼付することによって形成されているので、側壁の強度が高くなり、複数の紙製容器を重ねたりすることが可能となる。また、側壁が底部の周縁部より立ち上げて外側へ折り返して貼付することによって形成されているので、見た目がよく高級感を与えることが可能となる。また、側壁の上縁部に縁部が形成されていることで、蓋体を縁部に係止させることが可能となる。
【０００７】
本発明に係る紙製容器において、側壁は、外側へ若干傾斜して形成させることが好ましい。また、本発明に係る紙製容器において、縁部は、外側に突出して設けられ、断面略三角形状を呈するように形成することが好ましい。また、本発明に係る紙製容器において、縁部は、側壁の端部を外側に略直角に折り曲げてさらに下方に傾斜した状態で折り返してから逆方向に第３折曲部を介して鋭角に折り曲げて形成され、第３折曲部に、ミシン目を設けることが好ましい。また、本発明に係る紙製容器において、蓋体には、容器本体の縁部に係合して当該蓋体を容器本体に係止する係合部が設けられていることが好ましい。
【０００８】
さらに、蓋体を、紙基材を折り曲げることによって形成されるものとし、当該紙基材の周縁に容器本体の縁部の内側へ差し込まれる差込片が折曲可能に設け、かつ、蓋体の上面は平坦であるが前記差込片を折り曲げた部分からは上方へ傾斜して持ち上がる隆起部を備えたものとすることができる。
【０００９】
さらに、蓋体を、紙基材を折り曲げることによって形成されるものとし、当該紙基材に容器本体の外径寸法に合わせて４本の折曲線を設け、これらの折曲線で折り曲げることによって容器本体を全体に包囲するものとすることもできる。
【発明の効果】
【００１０】
以上説明したように、本発明に係る紙製容器によれば、容器本体を１枚の紙基材を折り曲げることによって形成し、底部と、この底部の周縁部より立ち上げて外側へ折り返して貼付することによって形成した側壁と、この側壁より垂下させて底部より突出させて形成した脚部と、側壁の上縁部に形成させた縁部とで構成したので、側壁の強度を高くすることができると共に、蓋体を容器本体に係止させることができる上に、高級感を出すことができる。
【発明を実施するための最良の形態】
【００１１】
以下、本発明に係る紙製容器を添付図面に基づいて詳述する。
【００１２】
図１〜図４は本発明に係る紙製容器の一例を示す図である。本発明に係る紙製容器は、図１〜図４に示すように、容器本体２と中敷容器３と蓋体４とからなる。中敷容器３は、容器本体２内に収容されて、ご飯や副菜などの食材を分けて盛り付ける合成樹脂製等の容器であり、容器本体２の形状や食材に応じて任意の形状・大きさに形成される。
【００１３】
蓋体４は、容器本体２の上方の開口部を閉塞するものであり、その形状は特に限定されず、例えば、透明の合成樹脂材料等で略矩形平板状に形成されている。蓋体４の４つの周縁部は、それぞれ下方に２段に形成されている。この２段目の部分が容器本体２の縁部２３に載置される載置部４１として形成されている。この載置部４１の周縁部はそれぞれ下方に略直角に折り曲げられて下縁片４２として形成されている。また、蓋体４の周縁部には、容器本体２の縁部２３と係合して蓋体４を容器本体２に係止させる係合部５１，５２が設けられている。
【００１４】
係合部５１，５２は、例えば、載置部４１の内側が下方に延出して容器本体２の上縁部の内側に係合する第１係合部５１（図３（ｂ）参照。）と、下縁片４２の下端部近傍が内側に突出して載置部４１とで略コの字状に形成されて、容器本体２の縁部２３の端部を覆うように係合する第２係合部５２（図３（ｃ）参照。）とで構成されている。第１係合部５１の設置位置は、特に限定されず、例えば、載置部４１の幅方向の略中央部に設けられている（図３（ａ）参照。）。また、第２係合部５２の設置位置も、特に限定されず、例えば、下縁片４２の幅方向の中央部近くの２箇所と両端部近傍の２箇所の合計４箇所に設けられている（図３（ａ）参照。）。これにより、蓋体４を容器本体２に係止させることができる。このとき、蓋体４が透明の材料で形成されていると、容器本体２の中敷容器３に入れられている食材を目視することができる。
【００１５】
容器本体２は、１枚の紙基材１１を折り曲げることによって形成され、底部２１と底部２１の周縁部に立設された側壁２２と側壁２２の上端縁に設けられた縁部２３とからなる。底部２１の形状は、特に限定されないが、例えば、矩形状（図示例では正方形状）に形成されている。側壁２２は、底部２１の４辺となる周縁部を上方に折り曲げてからさらに外側へ折り返して互いに貼付することによって形成されている。側壁２２は、底部２１に対して略直交する方向に延びて形成されていてもよいが、外側へ若干傾斜して形成してもよい。このように、側壁２２を外側へ若干傾斜して形成することにより、高級感を出すことができる。
【００１６】
また、側壁２２の上端縁には、縁部２３が設けられている。縁部２３は、外側に突出して設けられ、断面略三角形状に形成されている。この縁部２３は、例えば、側壁２２の端部を外側に略直角に折り曲げてさらに下方に傾斜した状態で折り返してから逆方向に鋭角に折り曲げることによって形成されている。この縁部２３を形成した紙基材１１の端部が、底部２１より下方に延出して脚部２４として形成されていることが好ましい。
【００１７】
この容器本体２は、例えば、裁断機を用いて、シート状の紙基材を所定の形に裁断して容器本体２を形成し得る例えば図５及び図６に示すような紙基材１１を作り、この紙基材１１を所定の箇所で折り曲げつつ貼り付けることにより作成される。紙基材１１は、厚紙等の紙のみであってもよいが、表面に耐水・耐油性・耐摩性に優れた合成樹脂フィルムが設けられているもの等が好ましい。合成樹脂フィルムは、印刷やラミネート法により紙基材１１に設けられるが、これらの方法に限定されず他の方法により設けるようにしてもよい。また、合成樹脂フィルムには、高級感や四季折々の歳時や行楽、行事等に応じた模様、文字、図柄等が含まれているもの（例えば図７（ａ）（ｂ）（ｃ）参照。）が好ましい。
【００１８】
紙基材１１は、例えば、図５及び図６に示すように、正方形状の底部２１の４辺が側壁折曲部１２として形成され、この側壁折曲部１２を介して細長の矩形状の側壁部２２ａがそれぞれ連設されてなる。各側壁部２２ａの端部には、第１折曲部１３を介して側壁部２２ａより幅が広い縁部上辺部２３ａがそれぞれ連設されている。縁部上辺部２３ａには、第２折曲部１４を介して縁部下辺部２３ｂが連設されている。縁部下辺部２３ｂには、第３折曲部１５を介して側板部２５が連設されている。第３折曲部１５は、ミシン目１６が設けられてなることが好ましい。ミシン目１６は、特に限定されず、例えば、直線の破線状に形成してもよい。また、図６に示すように、第３折曲部１７は、ミシン目１８の他に、コの字状の切欠部１９を設けるようにしてもよい（以下、第３折曲部（１５，１７）と記載する場合がある）。また、側板部２５は、特に図３に示すように、端部（先端部）が底部２１より延出して脚部２４となるような長さに形成されている。また、４つの側板部２５のうちの対向する２つの側板部２５の両側部には、連結折曲部２８を介して連結部２７がそれぞれ連設されている。
【００１９】
この紙基材１１を用いて容器本体２を作るには、底部２１に対して４つの側壁部２２ａをそれぞれ側壁折曲部１２で略直交する方向（上方）に折り曲げる。各側壁部２２ａに対して縁部上辺部２３ａをそれぞれ第１折曲部１３で外側に略直交する方向に折り曲げてから、第２折曲部１４で縁部下辺部２３ｂを下方に傾斜した状態で折り返す。折り返し後、各側板部２５を第３折曲部（１５，１７）でそれぞれ逆方向に鋭角に折り曲げると共に、側板部２５を側壁部２２ａの外側表面に粘着剤を用いて貼り付けることによって、側壁２２及び縁部２３が形成される。この貼付方法は、側板部２５（連結部２７を含む）を側壁２２に貼り付けることができれば特に限定されず、粘着剤の他、両面粘着テープ等を用いて行ってもよい。
【００２０】
側壁部２２ａに対する縁部上辺部２３ａ、縁部下辺部２３ｂの折曲及び側板部２５の側壁２２への貼付は、まず、連結部２７を有する２つの側板部２５及び縁部上辺部２３ａ、縁部下辺部２３ｂを第１〜第３折曲部１３，１４，（１５，１７）で折り曲げてから、この２つの側板部２５を対向する側壁部２２ａへ貼り付けると共に、これら側板部２５の両連結部２７をそれぞれ隣接する側壁部２２ａへ貼り付ける。次に、残りの縁部上辺部２３ａ、縁部下辺部２３ｂ及び側板部２５を第１〜第３折曲部１３，１４，（１５，１７）で折り曲げる。この縁部上辺部２３ａ、縁部下辺部２３ｂの折曲は、縁部上辺部２３ａの両端部が先に折り曲げた縁部上辺部２３ａの両端部上に重なり合うように行う。この折曲後、各側板部２５を連結部２７が貼り付けられている上からそれぞれ側壁部２２ａに貼り付けて行う。これにより、側壁２２及び外側に略三角形状に突出した縁部２３を有する容器本体２が得られる。なお、容器本体２の形成を機械を用いて行う場合には、紙基材１１を打ち抜いた後、粘着剤を必要な箇所に塗布させて、側壁を形成させる時に自動的に貼着するものである。
【００２１】
このように、本発明に係る紙製容器１は、側壁２２が紙基材を貼り付けて形成されていると共に、容器本体２の縁部２３が外側に突出した略三角形状に形成されているために、側壁２２が曲がり難いと共に、側壁２２に対して折れ曲がり難くなるので、複数の紙製容器１を上下方向に変形させることなく重ねることができる。このことは、容器本体２を逆台形状に形成させた場合には、より一層複数の紙製容器１を互いに嵌合状態で重ねることができ、完成品の搬送時、保管時にスペースを省略することができる。また、縁部２３に蓋体４の第１係合部５１、第２係合部５２を係合させて蓋体４を係止させるので、蓋体４を容器本体２（縁部２３）に確実に係止させることができる。
【００２２】
また、紙製容器１の容器本体２の縁部２３が略三角形状に形成されていると、容器本体２の見た目がよく高級感を与えることができる。また、対向する２つの縁部２３の両端部が先に折り曲げた対向する２つの縁部２３の両端部上に重なり合い、かつ、連結部２７を有する２つの側板部２５を貼り付けると共にこれらの側板部２５の両連結部２７をそれぞれ隣接する側壁２２へ貼り付け、この連結部２７を貼り付けた上から残りの２つの側板部２５を貼り付けるために、紙基材１１の裏側が外部に露出することがないので、見栄えが一層よくなる。
【００２３】
また、底部２１より下方に延出する脚部２４が設けられていることで、紙製容器１（容器本体２）を置く箇所が濡れていても紙製容器１（容器本体２）の底部２１が濡れることがない。また、紙製容器１（容器本体２）を置く箇所が液体例えば水で濡れている場合に、底部２１がその箇所に面接触することがないので、その水が広がることもない。また、紙製容器１（容器本体２）の底部２１が水で濡れていても、この紙製容器１（容器本体２）を置いても底部２１の水が弁当を置いた箇所に付着することがない。また、紙製容器１を複数重ねたときに、底部２１が下の紙製容器１の蓋体４の上面に面接触すると共に、脚部２４が載置部４１上に載置されるようにすることで、紙製容器１が倒れ難くなるので、複数の紙製容器１を安定して重ねることができる。
【００２４】
また、第３折曲部（１５，１７）にミシン目１６やミシン目１８と切欠部１９が設けられていることで、側板部２５を側壁２２に良好に貼り付けることができる。すなわち、容器本体２を形成する際、平板状の紙基材１１を折り曲げるので、第３折曲部（１５，１７）にミシン目１６等が設けられていないと、上縁下部と側板部とは互いに同じ平面上になろうとする。すなわち、折り曲げる前の状態に戻ろうとする。このため、側板部２５を側壁２２の外側面に貼り付けるときに側板部２５の縁部上辺部２３ａが側壁２２から離れようとするので、側板部２５を側壁２２に良好に貼り付けることができないことがある。これに対して、第３折曲部（１５，１７）にミシン目１６やミシン目１８と切欠部１９を設けることで、縁部下辺部２３ｂと側板部２５とは互いに折り曲がり易くなるために、側板部２５を側壁２２の外側面に貼り付けても側板部２５の縁部２３が側壁２２から離れようとすることがないので、側板部２５を側壁２２に良好にしかも確実に貼り付けることができる。
【００２５】
図８乃至図１１は蓋体の他の実施例を示し、とくに図８に示したように、この実施例に係る蓋体２９は、上記紙製容器と同じ材質と厚さの厚紙を用いるものであって、全体として平面矩形状を呈した厚紙の四角を切り欠いて切欠部３０を設けることによって紙基材３１を形成させ、さらに各切欠部３０も角部の手前に第１折曲線３２を付けることによって、差込片３３をその４辺に形成してある。次に、各第１折曲線３２の内側に所定間隔を空けて第２折曲線３４が設けられることによって隆起部３５が形成されている。各切欠部３０が交わる手前を残して各切欠部３０とそれぞれ４５°を形成する傾斜部３６が設けられ、この各傾斜部３６より３本の短い第３折曲線３７、第４折曲線３８、及び第５折曲線３９が逆放射状に各第２折曲線３４の交わる位置に向けて形成させてある。さらに、一つの差込片３３には、その一部を切り込み線４０で切り込むことによって、指掛け部４５が形成されている。
【００２６】
したがって、図８と図９に示したように、使用時にまず各第１折曲線３２を同一方向へ略直角に折り曲げると、各差込片３３が形成され、そのうちの切り込み線４０を設けた差込片３３からは指掛け部４５が略直角方向へ突出されることになる。次いで、図１０図に示したように、短い第４折曲線３８を内側へ折り込むと、第１折曲線３２の部分から第２折曲線３４にかけて隆起して第２折曲線３４より内側の部分が平坦な隆起部３５が形成されることになる。
【００２７】
このように形成した蓋体２９を、図１１に示したように、容器本体４６の上側からその各差込片３３をその各縁部４３の内側へ差し込むことによって、その外側に印刷する図柄（図示せず）と、隆起部３５の部分により、高級感を醸し出すことのできる紙製容器を構成することができるものである。
【００２８】
次に、図１２乃至図１４は蓋体のさらに他の実施例を示し、図面によればこの実施例に係る蓋体５５も、上記紙製容器と同じ材質と厚さの厚紙を用いるものであって、全体として平面矩形状を呈した紙基材５６の一端部に第１折曲線５７によって折り曲げ可能に係合片５８を突設すると共に、容器本体の外径寸法に合わせて４本の第２折曲線５９、第３折曲線６０、第４折曲線６１、及び第５折曲線６２を平行に設けることによって、表面部６３、両側面部６４，６５、底面部６６、及び重合部６７が形成されており、重合部６７を形成する第５折曲線６２には、係合片５８の係止溝６８が形成されている。
【００２９】
したがって、使用時には、図１３に示したように、第２折曲線５９から第５折曲線６２を折り曲げることによって、容器本体６９を全体として包む形態となり、最後に第１折曲線５７を折り曲げて係合片５８を立ち上がらせて係止溝６８へ差し込むことによって、その外側に印刷する図柄と、容器本体６９全体を包むという丁寧さにより、図１４に示したような高級感を醸し出すことのできる紙製容器を構成することができるものである。
【産業上の利用可能性】
【００３０】
以上説明したように本発明に係る紙製容器は、容器本体と蓋体とで構成し、容器本体を１枚の紙基材を折り曲げることによって形成し、底部と、この底部の周縁部より立ち上げて外側へ折り返して貼付することによって形成した側壁と、この側壁より垂下させて前記底部より突出させて形成した脚部と、前記側壁の上縁部に形成させた縁部とで構成したので、側壁の強度を高くすることができると共に、様々な形態の蓋体を容器本体に被せることができることにより、安価で用途に応じた高級感を醸し出すことのできる紙製容器として好適に用いられるものである。
【図面の簡単な説明】
【００３１】
【図１】本発明に係る紙製容器の一例を示す斜視図である。
【図２】本発明に係る紙製容器の一例を示す分解斜視図である。
【図３】本発明に係る紙製容器の一例を示す図で、（ａ）は正面図、（ｂ）は（ａ）図中のＡ−Ａ線矢視断面図、（ｃ）は（ａ）図中のＢ−Ｂ線矢視断面図である。
【図４】本発明に係る容器本体と中敷容器の一例を示す斜視図である。
【図５】本発明に係る容器本体の一例を示す展開図である。
【図６】本発明に係る容器本体の他の例を示す展開図である。
【図７】本発明に係る紙製容器の他の例を示す正面図である。
【図８】本発明に係る紙製容器の蓋体の他の例を示す展開図である
【図９】図８に示した蓋体の組み立てた状態の斜視図である。
【図１０】図９のＡ−Ａ線断面図である。
【図１１】図８に示した蓋体を容器本体に被せる場合の斜視図である。
【図１２】本発明に係る紙製容器の蓋体のさらに他の例を示す展開図である
【図１３】図１２に示した蓋体を組み立てる際の説明図である。
【図１４】図１２に示した蓋体で容器本体を包囲させた状態の斜視図である。
【符号の説明】
【００３２】
１  紙製容器
２，４６，６９  容器本体
４，２９，５５  蓋体
１１，３１，５６  紙基材
１５，１７  第３折曲部
１６、１８  ミシン目
２１  底部
２２  側壁
２３  縁部
２４  脚部
２５  側板部
３３  差込片
３５  隆起部
５１  第１係合部
５２  第２係合部
５８  係合片
５９  第１折曲線
６０  第２折曲線
６１  第３折曲線
６２  第４折曲線    
【図１】
2009280240.tif 000003
【図２】
2009280240.tif 000004
【図３】
2009280240.tif 000005
【図４】
2009280240.tif 000006
【図５】
2009280240.tif 000007
【図６】
2009280240.tif 000008
【図７】
2009280240.tif 000009
【図８】
2009280240.tif 000010
【図９】
2009280240.tif 000011
【図１０】
2009280240.tif 000012
【図１１】
2009280240.tif 000013
【図１２】
2009280240.tif 000014
【図１３】
2009280240.tif 000015
【図１４】
2009280240.tif 000016